(57)【要約】【課題】ＭＰＥＧ等により圧縮された動画像を再生可能な動画像再生装置において、高速サーチを行う際に、複数フレームの画像データを部分的に組み合わせて１フレームの画像データを生成することにより、サーチ時におけるより滑らかな画像表示を実現する。【解決手段】動画像再生装置１０は、フレーム内符号化された１フレーム分の画像ストリームを複数指定する制御部１３と、指定した複数の画像ストリームそれぞれのヘッダ情報を解析し、解析結果に基づいて前記複数の画像ストリームそれぞれから一部の画像を抽出するストリーム解析部１１ａと、抽出した一部の画像を一時的に蓄積するストリームバッファ１１ｂと、ストリームバッファ１１ｂに蓄積した一部の画像を組み合わせて１フレーム分の画像ストリームを再構成するストリーム再構成部１１ｃと、を備えている。【選択図】図１
2007036687.tif 000002
【特許請求の範囲】
【請求項１】
動画像を再生する動画像再生装置において、フレーム内符号化された１フレーム分の画像ストリームを複数指定するストリーム指定手段と、該指定した複数の画像ストリームそれぞれのヘッダ情報を解析し、該解析結果に基づいて前記複数の画像ストリームそれぞれから一部の画像ストリームを抽出するストリーム解析手段と、該抽出した一部の画像ストリームを組み合わせて１フレーム分の画像ストリームを再構成するストリーム再構成手段と、を備えていることを特徴とする動画像再生装置。
【請求項２】
請求項１に記載の動画像再生装置において、前記ストリーム再構成手段により再構成された画像ストリームを復号する復号手段を備えていることを特徴とする動画像再生装置。
【請求項３】
請求項１に記載の動画像再生装置において、前記ストリーム再構成手段は、前記ストリーム解析手段により解析したヘッダ情報の内容が変化した時点で、該時点までに抽出した一部の画像ストリームを組み合わせて１フレーム分の画像ストリームを再構成することを特徴とする動画像再生装置。
【請求項４】
動画像を再生する動画像再生装置において、フレーム内符号化された１フレーム分の画像ストリームを複数指定するストリーム指定手段と、該指定した複数の画像ストリームそれぞれのヘッダ情報を解析し、該解析結果に基づいて前記複数の画像ストリームそれぞれから一部の画像ストリームを抽出するストリーム解析手段と、前記複数の画像ストリームにヘッダ情報の内容が異なる画像ストリームが含まれている場合、前記複数の画像ストリームそれぞれから抽出した一部の画像ストリームを再符号化し、該再符号化した一部の画像ストリームを組み合わせて１フレーム分の画像ストリームを再構成するストリーム再符号化手段と、を備えていることを特徴とする動画像再生装置。
【請求項５】
請求項１乃至４のいずれか１に記載の動画像再生装置において、前記ストリーム指定手段は、画像ストリームが記録された記録媒体の種類に応じて、フレーム内符号化された１フレーム分の画像ストリームの指定数を変化させることを特徴とする動画像再生装置。
【請求項６】
請求項１乃至４のいずれか１に記載の動画像再生装置において、前記ストリーム指定手段は、画像ストリームの再生速度に応じて、フレーム内符号化された１フレーム分の画像ストリームの指定数を変化させることを特徴とする動画像再生装置。
【請求項７】
動画像を再生する動画像再生装置の動画像再生方法において、フレーム内符号化された１フレーム分の画像ストリームを複数指定するストリーム指定ステップと、該指定した複数の画像ストリームそれぞれのヘッダ情報を解析し、該解析結果に基づいて前記複数の画像ストリームそれぞれから一部の画像ストリームを抽出するストリーム解析ステップと、該抽出した一部の画像ストリームを組み合わせて１フレーム分の画像ストリームを再構成するストリーム再構成ステップと、を有することを特徴とする動画像再生方法。
【請求項８】
前記ストリーム再構成ステップで再構成された画像ストリームを復号する復号ステップを有することを特徴とする請求項７に記載の動画像再生方法。
【請求項９】
前記ストリーム再構成ステップは、前記ストリーム解析ステップで解析したヘッダ情報の内容が変化した時点で、該時点までに抽出した一部の画像ストリームを組み合わせて１フレーム分の画像ストリームを再構成することを特徴とする請求項７に記載の動画像再生方法。
【請求項１０】
動画像を再生する動画像再生装置の動画像再生方法において、フレーム内符号化された１フレーム分の画像ストリームを複数指定するストリーム指定ステップと、該指定した複数の画像ストリームそれぞれのヘッダ情報を解析し、該解析結果に基づいて前記複数の画像ストリームそれぞれから一部の画像ストリームを抽出するストリーム解析ステップと、前記複数の画像ストリームにヘッダ情報の異なる画像ストリームが含まれている場合、前記複数の画像ストリームそれぞれから抽出した一部の画像ストリームを再符号化し、該再符号化した一部の画像ストリームを組み合わせて１フレーム分の画像ストリームを再構成するストリーム再符号化ステップと、を有することを特徴とする動画像再生方法。
【請求項１１】
前記ストリーム指定ステップは、画像ストリームが記録された記録媒体の種類に応じて、フレーム内符号化された１フレーム分の画像ストリームの指定数を変化させることを特徴とする請求項７乃至１０のいずれか１に記載の動画像再生方法。
【請求項１２】
前記ストリーム指定ステップは、画像ストリームの再生速度に応じて、フレーム内符号化された１フレーム分の画像ストリームの指定数を変化させることを特徴とする請求項７乃至１０のいずれか１に記載の動画像再生方法。
【発明の詳細な説明】
【技術分野】
【０００１】
本発明は、動画像再生装置及び方法、より詳細には、高速な画像サーチを行う際に、より滑らかな画像表示を実現するための動画像再生装置及び該装置を用いた動画像再生方法に関する。
【背景技術】
【０００２】
ＭＰＥＧ（Ｍｏｖｉｎｇ  Ｐｉｃｔｕｒｅ  Ｅｘｐｅｒｔｓ  Ｇｒｏｕｐ）等において、動画像を構成する１フレームの画像データは、Ｉピクチャ（フレーム内符号化画像）、Ｐピクチャ（前方向フレーム間予測符号化画像）、Ｂピクチャ（双方向フレーム間予測符号化画像）として符号化（圧縮）される。Ｉピクチャは、フレーム内符号化のみを用いて符号化されたもので、参照画像を必要とせず独立して復号が可能である。また、Ｐピクチャは、前方向フレーム間予測符号化と部分的なフレーム内符号化とを用いて符号化されたもので、参照画像として指定された直前のＩピクチャまたはＰピクチャが復号されていなければ復号できない。また、Ｂピクチャは、双方向フレーム間予測符号化と部分的なフレーム内符号化とを用いて符号化されたもので、参照画像として指定された直前及び直後のＩピクチャまたはＰピクチャが復号されていなければ復号できない。
【０００３】
通常の再生時には全てのフレームが復号されて表示されるが、動画像の高速サーチ、すなわち、早送り再生及び巻き戻し再生を行う場合、所定数の選択されたフレームを飛び飛びに復号して表示している。
【０００４】
図９は、従来の高速サーチ時におけるフレームの表示パターンを示す図である。上記ＭＰＥＧ等により圧縮された画像データのサーチを行う場合、フレーム内符号化を行ったフレーム（Ｉフレーム）のみを表示することでサーチを行っていた。この場合、図９に示すように、高速サーチを行うと、表示スキップされるフレームが多くなり、目的のシーンを見逃しやすいという問題があった。このように、従来の動画像再生装置では、早送り再生および巻き戻し再生を行う際に、ＧＯＰ（Ｇｒｏｕｐ  Ｏｆ  Ｐｉｃｔｕｒｅ）構造や復号処理速度等の制限に起因して、特に高速で再生したときに、フレームのスキップ幅が大きくなり、ユーザは目的のシーンを見逃し、サーチ操作がうまくいかないことがあった。
【０００５】
このような問題に対して、例えば、特許文献１では、サーチ時に、Ｐピクチャ又はＢピクチャ内のフレーム内符号化されたブロック（イントラ符号化ブロック）も表示するようにして、より滑らかな表示を行うようにした動画像再生装置が開示されている。この動画像再生装置は、ＭＰＥＧ規格のＩピクチャ、Ｐピクチャ、及びＢピクチャとして符号化されている１フレーム分の画像データを読み込んで復号し、復号した画像データに応じて１フレームの画像を表示し、これらを連続的に繰り返すことにより動画像を再生する。
【０００６】
上記動画像再生装置は、早送り再生または巻き戻し再生のために１フレームのＰピクチャまたはＢピクチャを表示する際、フレーム内符号化部分検出器および動作制御回路が用いられ動画像復号回路にフレーム内符号化による画像データのみが復号され、動作制御回路および画像メモリ制御回路が用いられて復号された画像データに対応する画像のみが更新されるように構成されている。
【特許文献１】特開２００１−１２８１２５号公報
【発明の開示】
【発明が解決しようとする課題】
【０００７】
しかしながら、上記特許文献１に記載の発明のように、ＰピクチャまたはＢピクチャ内のイントラ符号化ブロックを表示する方法では、イントラ符号化ブロックの生起位置は画像の内容および前後の相関関係により符号化時に決まるが、基本的に一定していないため、サーチ時において滑らかな画像表示が得られるとは限らない。また、サーチ時にＰピクチャまたはＢピクチャのイントラ符号化ブロックのみを表示させるための機能を備えた専用の復号器（デコーダ）が必要となる。
【０００８】
本発明は、上述のごとき実情に鑑みてなされたものであり、ＭＰＥＧ等により圧縮された動画像を再生可能な動画像再生装置において、高速サーチを行う際に、複数フレームの画像データを部分的に組み合わせて１フレームの画像データを生成することにより、サーチ時におけるより滑らかな画像表示を実現すること、また、このことを、従来のデコーダを用いた簡単な装置構成で実現できるようにすること、を目的とする。
【課題を解決するための手段】
【０００９】
上記課題を解決するために、本発明の第１の技術手段は、動画像を再生する動画像再生装置において、フレーム内符号化された１フレーム分の画像ストリームを複数指定するストリーム指定手段と、該指定した複数の画像ストリームそれぞれのヘッダ情報を解析し、該解析結果に基づいて前記複数の画像ストリームそれぞれから一部の画像ストリームを抽出するストリーム解析手段と、該抽出した一部の画像ストリームを組み合わせて１フレーム分の画像ストリームを再構成するストリーム再構成手段と、を備えていることを特徴としたものである。
【００１０】
第２の技術手段は、第１の技術手段において、前記ストリーム再構成手段により再構成された画像ストリームを復号する復号手段を備えていることを特徴としたものである。
【００１１】
第３の技術手段は、第１の技術手段において、前記ストリーム再構成手段は、前記ストリーム解析手段により解析したヘッダ情報の内容が変化した時点で、該時点までに抽出した一部の画像ストリームを組み合わせて１フレーム分の画像ストリームを再構成することを特徴としたものである。
【００１２】
第４の技術手段は、動画像を再生する動画像再生装置において、フレーム内符号化された１フレーム分の画像ストリームを複数指定するストリーム指定手段と、該指定した複数の画像ストリームそれぞれのヘッダ情報を解析し、該解析結果に基づいて前記複数の画像ストリームそれぞれから一部の画像ストリームを抽出するストリーム解析手段と、前記複数の画像ストリームにヘッダ情報の内容が異なる画像ストリームが含まれている場合、前記複数の画像ストリームそれぞれから抽出した一部の画像ストリームを再符号化し、該再符号化した一部の画像ストリームを組み合わせて１フレーム分の画像ストリームを再構成するストリーム再符号化手段と、を備えていることを特徴としたものである。
【００１３】
第５の技術手段は、第１乃至第４のいずれか１の技術手段において、前記ストリーム指定手段は、画像ストリームが記録された記録媒体の種類に応じて、フレーム内符号化された１フレーム分の画像ストリームの指定数を変化させることを特徴としたものである。
【００１４】
第６の技術手段は、第１乃至第４のいずれか１の技術手段において、前記ストリーム指定手段は、画像ストリームの再生速度に応じて、フレーム内符号化された１フレーム分の画像ストリームの指定数を変化させることを特徴としたものである。
【００１５】
第７の技術手段は、動画像を再生する動画像再生装置の動画像再生方法において、フレーム内符号化された１フレーム分の画像ストリームを複数指定するストリーム指定ステップと、該指定した複数の画像ストリームそれぞれのヘッダ情報を解析し、該解析結果に基づいて前記複数の画像ストリームそれぞれから一部の画像ストリームを抽出するストリーム解析ステップと、該抽出した一部の画像ストリームを組み合わせて１フレーム分の画像ストリームを再構成するストリーム再構成ステップと、を有することを特徴としたものである。
【００１６】
第８の技術手段は、第７の技術手段において、前記ストリーム再構成ステップで再構成された画像ストリームを復号する復号ステップを有することを特徴としたものである。
【００１７】
第９の技術手段は、第７の技術手段において、前記ストリーム再構成ステップは、前記ストリーム解析ステップで解析したヘッダ情報の内容が変化した時点で、該時点までに抽出した一部の画像ストリームを組み合わせて１フレーム分の画像ストリームを再構成することを特徴としたものである。
【００１８】
第１０の技術手段は、動画像を再生する動画像再生装置の動画像再生方法において、フレーム内符号化された１フレーム分の画像ストリームを複数指定するストリーム指定ステップと、該指定した複数の画像ストリームそれぞれのヘッダ情報を解析し、該解析結果に基づいて前記複数の画像ストリームそれぞれから一部の画像ストリームを抽出するストリーム解析ステップと、前記複数の画像ストリームにヘッダ情報の異なる画像ストリームが含まれている場合、前記複数の画像ストリームそれぞれから抽出した一部の画像ストリームを再符号化し、該再符号化した一部の画像ストリームを組み合わせて１フレーム分の画像ストリームを再構成するストリーム再符号化ステップと、を有することを特徴としたものである。
【００１９】
第１１の技術手段は、第７乃至第１０のいずれか１の技術手段において、前記ストリーム指定ステップは、画像ストリームが記録された記録媒体の種類に応じて、フレーム内符号化された１フレーム分の画像ストリームの指定数を変化させることを特徴としたものである。
【００２０】
第１２の技術手段は、第７乃至第１０のいずれか１の技術手段において、前記ストリーム指定ステップは、画像ストリームの再生速度に応じて、フレーム内符号化された１フレーム分の画像ストリームの指定数を変化させることを特徴としたものである。
【発明の効果】
【００２１】
本発明によれば、ＭＰＥＧ等により圧縮された動画像を再生可能な動画像再生装置において、高速サーチを行う際に、複数フレームの画像データを部分的に組み合わせて１フレームの画像データを生成できるため、サーチ時においてより滑らかな表示が可能となり、目的のシーンの見逃しが少なくなる。また、Ｉフレームのストリーム処理だけですむため、従来のデコーダを用いた簡単な装置構成で表示処理を行うことができる。
【発明を実施するための最良の形態】
【００２２】
図１は、本発明の一実施形態に係る動画像再生装置の主要部構成例を示すブロック図で、図中、１０は動画像再生装置で、該動画像再生装置１０は、画像ストリームを処理するストリーム処理部１１と、符号化された画像ストリームを復号する復号部１２と、装置全体を制御する制御部１３と、画像ストリームを蓄積したＨＤ（ハードディスク）やＤＶＤなどのストリーム蓄積メディア１４と、を有する。この動画像再生装置１０は、２倍速、５倍速、３０倍速などの高速サーチ（すなわち、早送り再生及び巻き戻し再生）を行う機能を備え、図示しない操作部からユーザにより高速サーチの指示がなされると、ストリーム蓄積メディア１４に蓄積されたストリームに対して、指定された再生速度で高速サーチ処理を実行する。
【００２３】
制御部１３は、ストリーム蓄積メディア１４に蓄積された画像ストリームの中から、フレーム内符号化された１フレーム分の画像ストリーム（以下、Ｉピクチャという）を複数指定する手段を備える。この際、制御部１３は、各フレームを構成するデータのうちいずれがフレーム内符号化によるものであるかを特定する必要がある。これは、ＭＰＥＧ等で規定されるビデオストリームに含まれるピクチャヘッダには、ピクチャを構成するデータがフレーム内符号化を用いて符号化されたものであるか、あるいは、フレーム間符号化を用いて符号化されたものであるかを示すピクチャのタイプ情報が含まれており、これを参照することでフレーム内符号化によるもの（Ｉピクチャ）を特定できる。
【００２４】
また、ストリーム処理部１１は、ストリーム解析部１１ａ、ストリームバッファ１１ｂ、ストリーム再構成部１１ｃで構成される。ストリーム解析部１１ａは、制御部１３で指定された複数のＩピクチャそれぞれのヘッダ情報を解析し、解析結果に基づいて複数のＩピクチャそれぞれから一部の画像ストリームを抽出する。ストリームバッファ１１ｂは、ストリーム解析部１１ａにより抽出された一部の画像ストリームを一時的に蓄積する。ストリーム再構成部１１ｃは、ストリーム解析部１１ａにより抽出された一部の画像ストリームを組み合わせて１フレーム分の画像ストリームを再構成する。復号部１２は、ストリーム再構成部１１ｃにより再構成された画像ストリームを復号する。復号部１２で復号された画像ストリームは、図示しない表示部から順次表示される。
【００２５】
上記構成により、高速サーチ時において、複数の符号化されたＩピクチャから部分的に画像ストリームを抽出し、抽出した画像ストリームから１フレーム分の画像ストリームを再構成して表示することができるため、従来よりも多くの画像を表示できるようになり、ユーザは所望のシーンを見逃すことが少なくなる。また、符号化された状態の画像ストリームを再構成して復号可能な１フレーム分の画像ストリームを生成するため、復号部１２に特別な機能を付加する必要がなく、従来構成の復号器を用いることができる。
【００２６】
以下、図２〜図５に基づいて、高速サーチ時におけるフレーム（Ｉピクチャ）の構成及び表示例を具体的に説明する。
図２（Ａ）は、本発明に係る高速サーチ時におけるフレームの表示パターンの一例を示す図である。また、図２（Ｂ）は、図２（Ａ）に示すフレーム（Ｉピクチャ）Ｐ１，Ｐ２，Ｐ３付近を拡大した図である。図２（Ａ）及び（Ｂ）に示すように、例えば、３つのＩピクチャＰ１，Ｐ２，Ｐ３それぞれから一部の画像ストリームを抽出し、抽出した一部の画像ストリームから１フレーム分の画像ストリームを再構成する。
【００２７】
図３は、図２に示した各ＩピクチャストリームＰ１，Ｐ２，Ｐ３及びこれらから再構成されるＩピクチャストリームの構成例を示す図である。このように、ＩピクチャストリームＰ１からは部分ピクチャＰ１１を抽出し、ＩピクチャストリームＰ２からは部分ピクチャＰ２１を抽出し、ＩピクチャストリームＰ３からは部分ピクチャＰ３１をそれぞれ抽出する。これらの部分ピクチャＰ１１，Ｐ２１，Ｐ３１から１フレーム分のＩピクチャストリームを再構成する。ここで、部分ピクチャＰ１１，Ｐ２１，Ｐ３１の切り方は、各ＩピクチャストリームＰ１，Ｐ２，Ｐ３のヘッダ情報に含まれるスライスヘッダ単位で切ることが可能であり、本例のように３分割に限定されない。また、部分ピクチャＰ１１，Ｐ２１，Ｐ３１は、本例のように等分に分割しなくてもよく、上記スライスヘッダ単位であれば、任意の位置で切ることができる。
【００２８】
図４は、図２に示した各ＩピクチャストリームＰ１，Ｐ２，Ｐ３及びこれらから再構成されるＩピクチャストリームのデコード画面の一例を示す図である。また、図５は、図４に示したＩピクチャストリームのデコード画面を実際の画像で表示した例を示す図である。
【００２９】
図４及び図５において、前述したように、ＩピクチャストリームＰ１からは部分ピクチャＰ１１が抽出され、ＩピクチャストリームＰ２からは部分ピクチャＰ２１が抽出され、ＩピクチャストリームＰ３からは部分ピクチャＰ３１がそれぞれ抽出される。これらの部分ピクチャＰ１１，Ｐ２１，Ｐ３１から１フレーム分のＩピクチャストリームが再構成され、再構成されたＩピクチャストリームはデコードされて、図示しない表示部から順次表示される。再構成されたＩピクチャストリームは、部分ピクチャＰ１１，Ｐ２１，Ｐ３１で構成され、これらは時間的にずれた状態で表示されるが、高速サーチ時には本来表示されないＩピクチャストリームＰ２，Ｐ３の一部画像（部分ピクチャＰ２１，Ｐ３１）を含むことができるため、サーチの際により多くの画像情報（Ｉピクチャ）が表示され、所望のシーンを見逃すことが少なくなる。
【００３０】
ここで、ＩピクチャストリームＰ１，Ｐ２，Ｐ３，…間で、上記ストリーム解析部１１ａにより解析したヘッダ情報の内容（所定のパラメータ）が異なることがある。この場合、各部分ピクチャＰ１１，Ｐ２１，Ｐ３１から１フレーム分のＩピクチャストリームを再構成すると、正常にデコードされない場合がある。この対策として、例えば、Ｉピクチャストリームのヘッダ情報のパラメータが変化した時点で、その時点までに抽出した一部の画像ストリーム（すなわち、同じパラメータの画像ストリーム）を組み合わせて１フレーム分の画像ストリームを再構成するようにしてもよい。例えば、ＩピクチャストリームＰ３のヘッダ情報のパラメータが、それまでのＩピクチャストリームＰ１，Ｐ２のパラメータと異なる場合、ＩピクチャストリームＰ３までに抽出したＩピクチャストリームＰ１，Ｐ２の一部の画像ストリーム（部分ピクチャＰ１１，Ｐ２１）を組み合わせて１フレーム分の画像ストリームを再構成する。
【００３１】
以下、同様に、ＩピクチャストリームＰ８のヘッダ情報のパラメータが、他のＩピクチャストリームＰ３〜Ｐ７と異なる場合、Ｉピクチャストリームのヘッダ情報が変化した時点、すなわち、ＩピクチャストリームＰ８までに抽出したＩピクチャストリームＰ３〜Ｐ７の一部の画像ストリーム（部分ピクチャＰ３１〜Ｐ７１）を組み合わせて１フレーム分の画像ストリームを再構成する。この処理を繰り返し実行することにより、ヘッダ情報のパラメータが変化した場合でも、一旦復号することなく、複数のＩピクチャストリームそれぞれから一部画像を抽出して再構成し、さらに正常にデコードすることができる。
【００３２】
なお、ストリームの再構成に影響するパラメータは、ＭＰＥＧ２−Ｖｉｄｅｏ規格書（ＩＴＵ−Ｔ  Ｈ２６２／ＩＳＯ／ＩＥＣ１３８１８−２）に定義されており、例えば、シーケンスヘッダの中の
（１）load_intra_quantiser_matrix：Ｉピクチャのマクロブロックはすべてイントラ符号化マクロブロックになっており、このイントラ符号化マクロブロックの逆量子化処理を行う際のパラメータテーブルを、ユーザがデフォルト値から変更することができる。このフラグが立っていると、ユーザが変更していることを示す。
（２）intra_quantiser_matrix[64]：上記フラグが立っていると、引き続いて上記パラメータテーブルの値が６４個現れることを意味する。
【００３３】
また、ピクチャ符号化拡張子の中の
（１）intra_dc_precision：ＤＣＴ変換係数のＤＣ成分のビット数（８〜１１）を規定する。
（２）picture_structure：符号化されている画像がフィールド画像なのかフレーム画像なのかを示す。
（３）frame_pred_frame_dct：エンコードの際、動き予測とＤＣＴ変換について、それぞれフレーム処理とフィールド処理の２通りあり、このフラグが“１”になっていると、このピクチャではともにフレーム処理のみを行っていることを示す。
（４）q_scale_type：逆量子化の処理を行う際のパラメータテーブルに２種類有り、どちらを使用しているかを示す。上記quantiser_matrixとは別である。
（５）intra_vlc_format：可変長復号化を行う際の復号化テーブルに２種類有り、どちらを使用しているかを示す。
（６）alternate_scan：可変長復号化を行った後のデータを２次元配列に置いていく際に、どういう順序で置いていくかのパターンを２通りで規定する。どちらのパターンを使用しているかを示す。
【００３４】
また、高速サーチ時において、制御部１３は、ＨＤやＤＶＤなどの記録媒体の種類に応じて、フレーム内符号化された１フレーム分のＩピクチャの指定数を変化させるようにしてもよい。例えば、記録媒体がＤＶＤの場合、ドライブ等の構造上の問題から、高速サーチすると、多くのフレームがスキップされてしまい、画像表示が紙芝居のように飛び飛びになってしまう。そこで、ＤＶＤから高速サーチする場合、Ｉピクチャの指定数を増やし、なるべく多くのフレームを表示させるようにする。
【００３５】
また、制御部１３は、画像ストリームの再生速度（例えば、２倍速、５倍速、３０倍速など）に応じて、フレーム内符号化された１フレーム分のＩピクチャの指定数を変化させるようにしてもよい。通常、再生速度を高速にするほど、表示スキップされるフレームが増えてしまう。そこで、再生速度を上げたときに、Ｉピクチャの指定数を増やし、なるべく多くのフレームを表示させるようにする。
【００３６】
図６は、図１に示した動画像再生装置１０を用いた動画像再生方法の一例を説明するためのフロー図である。まず、動画像再生装置１０は、ユーザにより高速サーチ操作が選択されたかどうかを判断し（ステップＳ１）、高速サーチを行う場合（ＹＥＳの場合）、フレーム内符号化された１フレーム内の画像ストリーム（Ｉピクチャ）をストリーム蓄積メディア１４から複数指定し（ステップＳ２）、指定した複数の画像ストリームそれぞれのヘッダ情報を解析する（ステップＳ３）。また、上記ステップＳ１において、高速サーチを行わない場合（ＮＯの場合）、高速サーチの操作待ち状態となる。
【００３７】
次に、動画像再生装置１０は、上記ステップＳ３における解析結果に基づいて、複数の画像ストリームそれぞれから一部の画像ストリームを抽出し（ステップＳ４）、抽出した一部の画像ストリームを組み合わせて１フレーム分の画像ストリームを再構成する（ステップＳ５）。
【００３８】
図７は、本発明の他の実施形態に係る動画像再生装置１０の構成例を示すブロック図である。本実施形態では、制御部１３が十分は処理能力を有しており、ストリーム処理部１１の機能を制御部１３で実行するように構成されている。その他の構成については図１に示した動画像再生装置１０と同様であるため、ここでの説明は省略する。
【００３９】
図８は、本発明の他の実施形態に係る動画像再生装置１０の構成例を示すブロック図である。本実施形態では、図１に示したストリーム再構成部１１ｃの代わりに、ストリーム再符号化部１１ｄを有し、ストリーム再符号化部１１ｄは、制御部１３で指定された複数のＩピクチャにヘッダ情報の異なるものが含まれている場合、複数のＩピクチャそれぞれから抽出した一部の画像ストリームを再符号化し、再符号化した一部の画像ストリームを組み合わせて１フレーム分のＩピクチャを再構成する。その他の構成は図１に示した動画像再生装置１０と同様であるため、ここでの説明は省略する。
【００４０】
前述したように、ピクチャヘッダの内容（パラメータ）により、異なるＩピクチャストリームをつなげたときに正常にデコードされない場合がある。そこで、本実施形態では、ストリーム再符号化部１１ｄにより、ピクチャヘッダのパラメータに応じて、Ｉピクチャストリームの一部を復号化、再符号化する処理を行い、パラメータを同じにした状態で、Ｉピクチャストリーム同士をつなげるようにしている。これにより、デコード時に不具合を起こすことがなくなる。
【００４１】
本実施形態によれば、高速サーチ時において、複数の符号化されたＩピクチャから部分的に画像ストリームを抽出し、抽出した画像ストリームから１フレーム分の画像ストリームを再符号化及び再構成して表示することができるため、従来よりも多くの画像を表示できるようになり、ユーザは所望のシーンを見逃すことが少なくなる。また、再符号化された状態の画像ストリームを再構成して復号可能な１フレーム分の画像ストリームを生成するため、復号部１２に特別な機能を付加する必要がなく、従来構成の復号器を用いることができる。
【図面の簡単な説明】
【００４２】
【図１】本発明の一実施形態に係る動画像再生装置の主要部構成例を示すブロック図である。
【図２】本発明に係る高速サーチ時におけるフレームの表示パターンの一例を示す図である。
【図３】図２に示した各ＩピクチャストリームＰ１，Ｐ２，Ｐ３及びこれらから再構成されるＩピクチャストリームの構成例を示す図である。
【図４】図２に示した各ＩピクチャストリームＰ１，Ｐ２，Ｐ３及びこれらから再構成されるＩピクチャストリームのデコード画面の一例を示す図である。
【図５】図４に示したＩピクチャストリームのデコード画面を実際の画像で表示した例を示す図である。
【図６】図１に示した動画像再生装置を用いた動画像再生方法の一例を説明するためのフロー図である。
【図７】本発明の他の実施形態に係る動画像再生装置の構成例を示すブロック図である。
【図８】本発明の他の実施形態に係る動画像再生装置の構成例を示すブロック図である。
【図９】従来の高速サーチ時におけるフレームの表示パターンを示す図である。
【符号の説明】
【００４３】
１０…動画像再生装置、１１…ストリーム処理部、１１ａ…ストリーム解析部、１１ｂ…ストリームバッファ、１１ｃ…ストリーム再構成部、１１ｄ…ストリーム再符号化部、１２…復号部、１３…制御部、１４…ストリーム蓄積メディア。
【図１】
2007036687.tif 000003
【図２】
2007036687.tif 000004
【図３】
2007036687.tif 000005
【図４】
2007036687.tif 000006
【図５】
2007036687.tif 000007
【図６】
2007036687.tif 000008
【図７】
2007036687.tif 000009
【図８】
2007036687.tif 000010
【図９】
2007036687.tif 000011